(57)【要約】【課題】意匠層の外面が劣化し難い空気調和機の室内機を提供する。【解決手段】空気調和機の室内機２は、室内機ケーシング２３ａと塗料層２７ａ（意匠層）とを備える。室内機ケーシング２３ａは、フロントパネル２６ａが透明の材料によって形成される。塗料層２７ａは、色彩又は模様が表され、フロントパネル２６ａの裏側の被塗装部２６１に設けられる。【選択図】        図３
2004184051.tif 000002
【特許請求の範囲】
【請求項１】
少なくとも特定部（２６ａ−２６ｃ，２５ｃ）が透明の材料によって形成されるケーシング（２３ａ−２３ｃ）と、
色彩又は模様が表され、前記特定部（２６ａ−２６ｃ，２５ｃ）の裏側の少なくとも第１部（２６１−２６４）に設けられる意匠層（２７ａ−２７ｃ）と、
を備える空気調和機の室内機。
【請求項２】
前記特定部（２６ａ−２６ｃ）は、前面に配置される、
請求項１に記載の空気調和機の室内機。
【請求項３】
前記特定部（２６ａ−２６ｃ）の表側は概ね平らに形成されている、
請求項２に記載の空気調和機の室内機。
【請求項４】
前記ケーシング（２３ｂ，２３ｃ）の内部に設けられ、環境汚染物質を光によって分解する光触媒を有する光触媒部（５２）をさらに備え、
前記光触媒部（５２）に外部からの光が到達するように前記特定部（２６ｂ，２５ｃ）の裏側の第２部（２６６，２６７）には前記意匠層（２７ｂ、２７ｃ）が設けられていない、
請求項１から３のいずれかに記載の空気調和機の室内機。
【請求項５】
室内の壁面に装着される空気調和機の室内機であって、
前記第２部（２６７）は前記ケーシング（２３ｃ）の天面に配置される、
請求項４に記載の空気調和機の室内機。
【請求項６】
前記光触媒部（５２）が有する光触媒は、可視光によって光触媒性を発揮する可視光触媒である、
請求項４または５に記載の空気調和機の室内機。
【請求項７】
前記ケーシング（２３ｂ，２３ｃ）は、空気が通る開口部（２５１）をさらに有しており、
前記開口部（２５１）から前記ケーシング（２３ｂ，２３ｃ）の内部へと入る外部の光が前記光触媒部（５２）へ到達するように前記開口部（２５１）は配置される、
請求項４から６のいずれかに記載の空気調和機の室内機。
【請求項８】
前記特定部（２６ｂ）は、概ね平らに形成された平面部を有し、
前記第２部（２６６）は、前記平面部の裏側に位置し、
前記光触媒部（５２）は、前記平面部の内側に配置される
請求項４に記載の空気調和機の室内機。
【請求項９】
ケーシング（２３ａ−２３ｃ）の少なくとも特定部（２６ａ−２６ｃ，２５ｃ）が透明の材料から形成される第１工程（Ｓ１３）と、
色彩又は模様が表された意匠層（２７ａ−２７ｃ）が、前記特定部（２６ａ−２６ｃ，２５ｃ）の裏側の少なくとも第１部（２６１−２６４）に施される第２工程（Ｓ１４）と、
を備える空気調和機の室内機の製造方法。
【発明の詳細な説明】
【０００１】
【発明の属する技術分野】
本発明は、空気調和機の室内機および空気調和機の室内機の製造方法に関する。
【０００２】
【従来の技術】
空気調和機の室内機は、熱交換器や送風ファン等の構成部品を備えると共に、室内機の外観を構成するケーシングを備えている（特許文献１）。室内機は居住者等がいる室内に配置されるため、ケーシングは居住者等の視野に入る。このため、ケーシングには色彩や模様等の意匠が施されることが多い。これによって、空気調和機の室内機の美観を向上させることができる。従来、これらの意匠は、塗装加工や印刷加工をケーシングの外表面に行い意匠層をケーシングの外表面に形成することによって、施されることが多い。
【０００３】
【特許文献１】
特開２００２−８９８９２号公報（第４図）
【０００４】
【発明が解決しようとする課題】
しかし、上記のように、ケーシングの外表面に塗装加工や印刷加工が行われる場合、意匠層の表面の塗装面や印刷面が劣化し易いという不具合がある。すなわち、ケーシングの外表面は、外部からこすれ等の刺激を受けることが多く、このため塗装面や印刷面が傷ついたり剥がれたりして劣化し易い。
【０００５】
本発明の課題は、意匠層の外面が劣化し難い空気調和機の室内機を提供することにある。
【０００６】
【課題を解決するための手段】
請求項１に記載の空気調和機の室内機は、ケーシングと意匠層とを備える。ケーシングは、少なくとも特定部が透明の材料によって形成される。意匠層は、色彩又は模様が表され、特定部の裏側の少なくとも第１部に設けられる。
この空気調和機の室内機では、透明な材料で形成された特定部の裏側の少なくとも第１部に、色彩または模様が表された意匠層が設けられる。このため、この空気調和機の室内機では、色彩や模様等の意匠が外観上に表れて美観が向上する。また、ケーシングが外部から刺激を受けた場合でも、意匠層は特定部の裏側に設けられているため、ケーシングに施された色彩や模様等の意匠が劣化する恐れが少ない。このため、この空気調和機の室内機では、意匠層の外面が劣化し難くなっている。
【０００７】
請求項２に記載の空気調和機の室内機は、請求項１に記載の空気調和機の室内機であって、特定部は、前面に配置される。
この空気調和機の室内機では、特定部が前面に配置されるため、ケーシングの前面に施される意匠層の外面が劣化し難くなっている。空気調和機の室内機の前面は、居住者等の視野に入り易い部分である。このため、意匠層の外面が劣化し難くなる本発明がより有効である。
【０００８】
請求項３に記載の空気調和機の室内機は、請求項２に記載の空気調和機の室内機であって、特定部の表側は概ね平らに形成されている。
この空気調和機の室内機では、特定部の表側が平らに形成されているため、拭き取り等の掃除が行い易い。また、この空気調和機の室内機では、意匠層が特定部の裏側に設けられているため、特定部の表側に意匠層による細かい凹凸が生じる恐れが少ない。このため、この空気調和機の室内機では、掃除の行い易さをより向上させることができる。
【０００９】
請求項４に記載の空気調和機の室内機は、請求項１から３のいずれかに記載の空気調和機の室内機であって、光触媒部をさらに備える。光触媒部は、ケーシングの内部に設けられ、環境汚染物質を光によって分解する光触媒を有する。そして、光触媒部に外部からの光が到達するように特定部の裏側の第２部には意匠層が設けられていない。
【００１０】
光触媒が環境汚染物質を分解するためには光が必要であるが、光触媒部は、通常、空気調和機の室内機の内部に設けられることが多く、光触媒部に光を届かせることは難しい。このため、空気調和機の室内機に特別の光源が設けられることが従来から行われている。
しかし、この空気調和機の室内機では、透明な特定部の第２部に意匠層が設けられていないため、外部の光が第２部を透過して空気調和機の室内機の内部に到達し易くなっている。従って、第２部を透過した光によって、光触媒を活性化させ、環境汚染物質をより効果的に分解させることができる。このように、この空気調和機の室内機では、特別の光源を設けなくても、光触媒によって環境汚染物質をより効果的に分解させることができる。
【００１１】
なお、特別の光源を設ければ、第２部を透過した外部の光との相乗効果も期待できる。
請求項５に記載の空気調和機の室内機は、請求項４に記載の空気調和機の室内機であって、室内の壁面に装着される空気調和機の室内機である。そして、第２部はケーシングの天面に配置される。
【００１２】
この空気調和機の室内機では、第２部はケーシングの天面に設けられる。室内の壁面に装着される空気調和機の室内機では、ケーシングの天面が居住者等の視野に入る恐れは少ない。従って、第２部を通してケーシングの内部が居住者等の視野に入る恐れが少ない。このため、この空気調和機の室内機では、第２部によって美観を損なう恐れを低減することができる。
【００１３】
請求項６に記載の空気調和機の室内機は、請求項４または５に記載の空気調和機の室内機であって、光触媒部が有する光触媒は、可視光によって光触媒性を発揮する可視光触媒である。
従来からよく用いられている光触媒は紫外線によって光触媒性を発揮するものが多いが、太陽光や室内灯の光に含まれる紫外線は微小であり、太陽光や室内灯の光によっては十分に光触媒性を発揮させることは難しい。このため、紫外線ランプなどによって光触媒に紫外線を照射することが従来から行われている。
【００１４】
しかし、この空気調和機の室内機では、光触媒部は、可視光によって光触媒性を発揮することができる可視光触媒を有する。このため、第２部を透過してケーシングの内部に到達する太陽光や室内灯の光によっても十分に光触媒性を発揮させることができる。
請求項７に記載の空気調和機の室内機は、請求項４から６のいずれかに記載の空気調和機の室内機であって、ケーシングは、空気が通る開口部を有している。そして、開口部からケーシングの内部へと入る外部の光が光触媒部へ到達するように開口部は配置される。
【００１５】
この空気調和機の室内機では、開口部からも光を取り入れて光触媒性を発揮させることができる。このため、ケーシングの特定部を形成する透明な材料を十分に透過できない波長の光がある場合でも、開口部から直接取り入れられた光によって十分に光触媒性を発揮させることができる。
請求項８に記載の空気調和機の室内機は、請求項４に記載の空気調和機の室内機であって、特定部は、概ね平らに形成された平面部を有する。第２部は、平面部の裏側に位置する。そして、光触媒部は、平面部の内側に配置される。
【００１６】
この空気調和機の室内機では、意匠層が設けられていない第２部が概ね平らに形成された平面部の裏側に設けられ、光触媒部がその内側に配置される。このため、第２部からは十分に外部の光が透過するとともに、透過した光が光触媒部に届き易い。従って、この空気調和機の室内機では、外部の光によって十分に光触媒性を発揮させることができる。
【００１７】
請求項９に記載の空気調和機の室内機の製造方法は、第１工程と第２工程とを備える。第１工程では、ケーシングの少なくとも特定部が透明の材料から形成される。第２工程では、色彩又は模様が表された意匠層が、特定部の裏側の少なくとも第１部に施される。
この空気調和機の室内機の製造方法では、色彩または模様が表された意匠層がケーシングの特定部の裏側に施されることにより、色彩等が外観に表れた空気調和機の室内機が製造される。例えば、従来、ケーシングの表側に施していた色彩の塗装をケーシングの特定部の裏側に行うことによって、色彩が外観上に表れた空気調和機の室内機を製造することができる。従って、この空気調和機の室内機の製造方法では、特別の塗料等でコーティングするなどの外観の劣化を抑えるための特別の加工を行わなくても、室内機の外観の劣化が抑えることができる。このように、この空気調和機の室内機の製造方法では、外観の劣化しにくい空気調和機の室内機を容易に製造することができる。
【００１８】
【発明の実施の形態】
＜第１実施形態＞
〔空気調和機の全体構成〕
本発明の第１実施形態が採用された空気調和機１の外観を図１に示す。
この空気調和機１は、室内の壁面に取り付けられる壁掛け型の室内機２と、室外に設置される室外機３とを備えている。
【００１９】
室内機２内には室内熱交換器が収納され、室外機３内には室外熱交換器が収納されており、各熱交換器が冷媒配管４により接続されることにより冷媒回路を構成している。
〔空気調和機の冷媒回路の構成概略〕
空気調和機１の冷媒回路の構成を図２に示す。この冷媒回路は、主として室内熱交換器２０、アキュムレータ３１、圧縮機３２、四路切換弁３３、室外熱交換器３０及び電動膨張弁３４で構成される。
【００２０】
室内機２に設けられている室内熱交換器２０は、接触する空気との間で熱交換を行う。また、室内機２には、室内空気を吸い込んで室内熱交換器２０に通し熱交換が行われた後の空気を室内に排出するためのクロスフローファン２１が設けられている。クロスフローファン２１は、円筒形状に構成され、周面には回転軸方向に羽根が設けられているものであり、回転軸と交わる方向に空気流を生成する。このクロスフローファン２１は、室内機２内に設けられる室内ファンモータ２２によって回転駆動される。室内機２の詳細な構成については後に説明する。
【００２１】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して配管４１に接続されており、この配管４１を介して室内熱交換器２０の一端と接続される。また、四路切換弁３３は、ガス閉鎖弁３７を介して配管４２に接続されており、この配管４２を介して室内熱交換器２０の他端と接続されている。この配管４１，４２は、図１の冷媒配管４に相当する。また、室外機３には、室外熱交換器３０での熱交換後の空気を外部に排出するためのプロペラファン３８が設けられている。このプロペラファン３８は、ファンモータ３９によって回転駆動される。
【００２２】
〔室内機の構成〕
図３に室内機２の側面断面図を示す。
室内機２は、上述したクロスフローファン２１や室内熱交換器２０等と、これらを収容する室内機ケーシング２３ａとを備えている。
クロスフローファン２１は、室内ファンモータ２２によって中心軸周りに回転駆動されることにより、吸込み口２５１から取り込まれ室内熱交換器２０を通り吹出し口２５２から室内へと吹き出す空気流を生成する。クロスフローファン２１は、側面視において室内機２の概ね中央に位置している。
【００２３】
室内熱交換器２０は、クロスフローファン２１の前方、上方および後部上方を取り囲むように取り付けられている。室内熱交換器２０は、クロスフローファン２１の駆動により吸込み口２５１から吸い込まれた空気をクロスフローファン２１側に通過させ、伝熱管の内部を通過する冷媒との間で熱交換を行わせる。室内熱交換器２０は、側面視において概ね逆Ｖ字型の断面形状を有している。
【００２４】
（室内機ケーシング２３ａの構成）
室内機ケーシング２３ａは、主として、底フレーム２４、前面グリル２５ａおよびフロントパネル２６ａにより構成されている。
底フレーム２４は、室内機２の背面を構成しており、室内熱交換器２０およびクロスフローファン２１の後方を覆っている。
【００２５】
前面グリル２５ａは、室内機２の天面、側面、下面を覆うように形成されており、前面グリル２５ａの前面にはフロントパネル２６ａが取り付けられる（図４参照）。前面グリル２５ａの天面には、複数のスリット状の開口からなる吸込み口２５１が設けられている。吸込み口２５１は、前面グリル２５ａの天面の略全体に亘って設けられている。前面グリル２５ａの下面の前側には、室内機２の長手方向に沿う開口からなる吹出し口２５２が設けられている。また、吹出し口２５２には、室内へと吹出す空気が案内される水平フラップ２５３が設けられている。この水平フラップ２５３は、室内機２の長手方向に平行な軸を中心に回動自在に設けられている。水平フラップ２５３は、フラップモータ（図示せず）によって回動することにより、吹出し口２５２の開閉を行うことができる。
【００２６】
フロントパネル２６ａは、室内機２の前面に配置されている。フロントパネル２６ａは、前面グリル２５ａとは別体に形成されており、前面グリル２５ａの前面を覆うように取り付けられている。フロントパネル２６ａの表側は、中央に水平に設けられた段差によって上下に分かれた２つの面によって構成されているが、各面は概ね平坦に形成されており、凹凸および穴やスリットなどの開口部のない滑らかな表面となっている。また、段差部分は平面的な開口となっており、この開口からも室内の空気が吸い込まれる（図３の白抜き矢印Ａ１参照）。このフロントパネル２６ａは、透明の樹脂により形成されており、その裏側の全体を占める被塗装部２６１には色彩や模様等が表された塗料層２７ａが設けられている。この塗料層２７ａは、フロントパネル２６ａの裏側からフロントパネル２６ａの全体に塗装を施すことによって形成される。
【００２７】
前面グリル２５ａの前面には、開口２５４が設けられている。前面グリル２５ａの前面とフロントパネル２６ａとの間に各種のフィルタ５０，５１，５２が取り付けられることにより、この開口２５４がフィルタ５０，５１，５２に覆われる。このフィルタ５０，５１，５２には、エアフィルタ５０、空気清浄フィルタ５１および光触媒フィルタ５２がある。
【００２８】
エアフィルタ５０は、塵や埃を通過する空気から除去することができる。エアフィルタ５０は、前面グリル２５ａの前面から天面までを覆うように設けられている。エアフィルタ５０のうち前面グリル２５ａの天面に位置する部分は、天面の吸込み口２５１のすぐ内側に位置している。
空気清浄フィルタ５１は、前面グリル２５ａの前面上部であって、エアフィルタ５０の内側に設けられる。空気清浄フィルタ５１は、エアフィルタ５０よりも細かい埃やタバコの煙、花粉等を通過する空気から除去することができる。
【００２９】
光触媒フィルタ５２は、前面グリル２５ａの前面下部に設けられており、通過する空気から臭気成分や有害ガス等を除去することが出来る。臭気成分とは、例えば、ホルムアルデヒド、アセトアルデヒド、アンモニア、硫化水素等であり、タバコ、生ゴミ、建築材等から生じるの悪臭の原因となる成分である。有害ガスとは、ＮＯｘやＳＯｘ等、車の排気ガス等に含まれている有害な成分である。光触媒フィルタ５２は、ハニカム構造を有するシート状に形成されており、主として酸化チタンにより構成される光触媒を含有している。光触媒は、光によって強力な酸化力を発揮し、臭気成分や有害ガスを分解して無害化することができる。
【００３０】
〔室内機の製造方法〕
次に上記の室内機２を製造するための製造方法を説明する。
この空気調和機１の室内機２の製造方法は、図５に示すように、主として、室内機ケーシング２３ａの製造工程Ｓ１、他の構成部品の製造工程Ｓ２および組立工程Ｓ３から形成される。
【００３１】
室内機ケーシング２３ａの製造工程Ｓ１は、図６に示すように、前面グリル２５ａの製造工程Ｓ１０、底フレーム２４の製造工程Ｓ１１、およびフロントパネル２６ａの製造工程Ｓ１２とによって構成されている。
前面グリル２５ａの製造工程Ｓ１０と底フレーム２４の製造工程Ｓ１１とでは、それぞれ前面グリル２５ａと底フレーム２４とが、樹脂材料から一体成形されて、あるいは、樹脂材料から成形された部品から組み立てられて製造される。
【００３２】
フロントパネル２６ａの製造工程Ｓ１２は、フロントパネル２６ａの成形工程Ｓ１３と塗装加工工程Ｓ１４とから構成されている。フロントパネル２６ａの成形工程Ｓ１３では、透明の樹脂材料からフロントパネル２６ａが成形され、透明なフロントパネル２６ａが製造される。ここでいう透明な樹脂材料としては、例えば透明なＡＢＳやポリスチレンなどが使用される。塗装加工工程Ｓ１４では、フロントパネル２６ａの裏側から塗装が施され、塗料がフロントパネル２６ａの裏側の全体に塗布される。この塗装加工工程Ｓ１４によって、色彩や模様が表された塗料層２７ａがフロントパネル２６ａの裏側の被塗装部２６１に密着して設けられる。なお、塗装加工に代えて、フロントパネル２６ａの裏側に印刷を行う印刷加工が行われてもよい。
【００３３】
他の構成部品の製造工程Ｓ２では、上記の室内熱交換器２０、クロスフローファン２１、各種のフィルタ５０，５１，５２などがそれぞれ製造される。
組立工程Ｓ３では、上記の構成部品が組み立てられて、室内機２が完成する。
〔特徴〕
（１）
この空気調和機１の室内機２では、透明な樹脂材料で形成されたフロントパネル２６ａの裏側の全体を占める被塗装部２６１に色彩や模様が表された塗料層２７ａが設けられる。このため、この空気調和機１の室内機２では、色彩や模様等の意匠が、透明なフロントパネル２６ａを通して外観上に表れる。このため、室内機２の美観が向上している。また、塗料層２７ａは、フロントパネル２６ａの裏側に設けられているため、こすれ等の外部からの刺激によって塗料層が傷ついたり剥がれたりする恐れがない。
【００３４】
このように、この空気調和機１の室内機２では、美観が向上していると共に、外観が劣化し難くなっている。
（２）
この空気調和機１の室内機２では、上述したようにフロントパネル２６ａの外観が劣化し難くなっている。室内機ケーシング２３ａは室内空間に露出しており、さらにフロントパネル２６ａは、室内機２の前面を覆うように取り付けられる。従って、フロントパネル２６ａは、室内機２が配置される室内の居住者の目に触れやすい。このため、外観が劣化し難くなる本発明がより有効となっている。
【００３５】
（３）
この空気調和機１の室内機２では、フロントパネル２６ａの表側が概ね平らに形成されており、ふき取り等の掃除が行いやすくなっている。そして、この空気調和機１の室内機２では、塗料層２７ａがフロントパネル２６ａの裏側に設けられている。従って、フロントパネル２６ａの表側には、塗料層２７による細かい凹凸ができておらず、樹脂による平滑な面が形成されている。もし、塗料層２７ａによる細かい凹凸がフロントパネル２６ａの表側にある場合には、この凹凸に汚れが入り込み、拭き取りによって汚れを落とすことが困難になる。しかし、この空気調和機１の室内機２では、フロントパネル２６ａの表側には樹脂による平滑な面が形成されているため、汚れが拭き取り易くなっている。このように、この空気調和機１の室内機２では、美観を向上させると共に、手入れが行い易くなっている。
【００３６】
（４）
上記の様な空気調和機１の室内機２の製造方法によれば、フロントパネル２６ａの裏側に塗装を施すだけで、意匠の劣化しにくい室内機２を製造することができる。従って、この空気調和機１の室内機２の製造方法では、劣化を防止するためにコーティングを施すなどの特別の加工は不要である。このように、この空気調和機１の室内機２の製造方法では、外観の劣化しにくい空気調和機１の室内機２を容易に製造することができる。
【００３７】
（５）
この空気調和機１の室内機２では、透明な樹脂材料から成形されたフロントパネル２６ａの裏側に塗料層２７ａが設けられている。このため、フロントパネル２６ａの表面は樹脂材料による光沢が表れる。また、透明樹脂を通して裏側の色彩等が表側に表れるため、室内機２の外観が、深みのある高級感を感じさせるものとなる。
【００３８】
＜第２実施形態＞
〔構成〕
本発明の第２実施形態が採用された空気調和機の室内機の室内機ケーシング２３ｂを図７および図８に示す。
この室内機ケーシング２３ｂでは、第１実施形態と同様にフロントパネル２６ｂは透明な樹脂材料から形成されている。フロントパネル２６ｂは、裏側に塗料層２７ｂが設けられているが、塗料層２７ｂはフロントパネル２６ｂの裏側の全体に設けられているのではなく、フロントパネル２６ｂの裏側のうち光触媒フィルタ５２に対向する透過部２６６には、塗料層２７ｂが設けられていない。そして、この透過部２６６は、フロントパネル２６ｂの平坦な面の裏側に位置している。このため、太陽光や室内灯の光とうの外部の光が、塗料層２７ｂに遮られることなく、透過部２６６を通して光触媒フィルタ５２に到達するようになっている。なお、フロントパネル２６ｂの裏側の透過部２６６を除く被塗装部２６２には、塗料層２７ｂが設けられており、塗料層２７ｂの色彩等が外観に表れるようになっている。
【００３９】
また、前面グリル２５ｂの天面に設けられる吸込み口２５１は、前面グリル２５ｂの天面の前側まで設けられており、外部の光が、吸込み口２５１から室内機ケーシング２３ｂの内部まで入り、光触媒フィルタ５２に到達するようになっている。
さらに、光触媒フィルタ５２含有する光触媒は、可視光によっても十分にその光触媒性を発揮することができる可視光触媒となっている。この可視光触媒としては、例えば、人が視認できる４００ｎｍ程度の波長の光でも活性化することができる光触媒などが利用される。
【００４０】
なお、他の構成については、第１実施形態に係る空気調和機１と同様である。
〔特徴〕
（１）
この空気調和機の室内機では、透過部２６６を通して外部の光を光触媒フィルタ５２に到達させることができるため、光触媒を光によって活性化させて。臭気成分や有害ガスを分解させることができる。このため、紫外線ランプ等の特別の光源を用いずに、光触媒による空気の浄化を行うことができる。
【００４１】
（２）
上記のようなフロントパネル２６ｂの構成は、第１実施形態におけるフロントパネルの塗装加工工程Ｓ１４において、フロントパネル２６ｂの裏側のうち光を透過させたい部分だけ塗装しないようにすることで容易に形成することができる。また、透過部２６６の位置も容易に変更することができる。
【００４２】
（３）
この空気調和機の室内機では、透過部２６６からだけではなく、吸込み口２５１からも外部の光が室内機ケーシング２３ｂの内部に入る。従って、吸込み口２５１から直接に入ってくる外部の光によって、光触媒を活性化させて光触媒性を発揮させることができる。このため、フロントパネル２６ｂを構成する透明な樹脂が、特定の波長の光を透過させにくいものであっても、直接に入ってくる光によって十分に光触媒性を発揮させることできる。
【００４３】
（４）
従来からよく用いられている光触媒は、紫外線によってその光触媒性を発揮するものが多い。しかし、紫外線は、室内灯や太陽光には微量に含まれているだけであり、光触媒性を発揮させるのに十分ではない場合がある。
しかし、この空気調和機の室内機では、光触媒フィルタ５２は可視光触媒を有している。そして、可視光は室内灯や太陽光に多量に含まれている。例えば、紫外線は太陽光のうち約３％にすぎないのに対して、可視光は太陽光の約半分を占めている。このため、この空気調和機の室内機では、室内灯や太陽光によっても十分に光触媒性を発揮させて空気の浄化を行うことができる。
【００４４】
（５）
この空気調和機の室内機では、第１実施形態にかかる空気調和機１の室内機２と同様に、フロントパネル２６ｂが透明になっており、その裏側に塗料層２７ｂが設けられている。このため、美観が向上していると共に外観が劣化しにくくなっているなど、第１実施形態にかかる空気調和機１の室内機２と同様の効果を奏することができる。
【００４５】
＜第３実施形態＞
〔構成〕
本発明の第３実施形態が採用された空気調和機の室内機を図９および図１０に示す。
この空気調和機の室内機では、フロントパネル２６ｃだけではなく前面グリル２５ｃが透明な樹脂から成形されており透明になっている。そして、前面グリル２５ｃの裏側には、色彩や模様が表された塗料層２７ｃが設けられている。この塗料層２７ｃは、前面グリル２５ｃの裏側に塗装加工を行い、塗料を塗布することにより形成されている。また、前面グリル２５ｃの裏側のうち天面に位置する透過部２６７には、塗料層２７ｃが設けられておらず、外部の光が天面から前面グリル２５ｃの内部に透過することができる（図９のハッチングが施された部分参照）。このため、太陽光や室内灯の光などの外部の光が、塗料層２７ｃに遮られることなく、透過部２６７を通して光触媒フィルタ５２に到達するようになっている。なお、透過部２６７を除く前面グリル２５ｃの他の部分、すなわち、前面グリル２５ｃの裏側の下面および側面に位置する前面グリル２５ｃの被塗装部２６３とフロントパネル２６ｃの裏側の全体を占める被塗装部２６４には、塗料層２７ｃが設けられている。
【００４６】
また、第１実施形態にかかる空気調和機１の室内機２とは異なり、光触媒フィルタ５２が、前面グリル２５ｃの前面上部であって、エアフィルタ５０の内側に設けられ、空気清浄フィルタ５１が前面グリル２５ｃの前面下部に設けられている。このため、天面に位置する透過部２６７や天面に設けられた吸込み口２５１から前面グリル２５ｃの内部に入った光が、光触媒フィルタ５２にさらに到達し易くなっている。
【００４７】
他の構成については第１実施形態や第２実施形態にかかる空気調和機の室内機と同様である。
〔特徴〕
この空気調和機の室内機では、塗料層２７ｃが設けられていない透明な天面から外部の光を取り入れて光触媒フィルタ５２に届かせることができる。このため、紫外線ランプ等の特別の光源を設けなくても、光触媒による空気の清浄化を行うことができる。
【００４８】
また、光を取り入れるために塗料層２７ｃが設けられていない透過部２６７が室内機の天面に設けられているため、居住者等の視野に透過部２６７が入り難くなっている。このように、居住者等の視野に入り難い部分に透過部２６７を設けることによって、透過部２６７を通して室内機の内部が居住者等の目に触れる恐れが少なくなっている。このため、この空気調和機の室内機では、光透過部を通して室内機２の内部が外部から見えることが防止されており美観を損ねる恐れがない。
【００４９】
＜他の実施形態＞
（１）
上記の実施形態では、空気調和機１の室内機２は室内の壁面に取り付けられる壁掛け型の室内機であるが、床面に配置される床置型の空気調和機に、本発明が採用されてもよい。例えば、床置型の空気清浄機のフロントパネルが透明樹脂から成形されており、その内側から塗装が施されていてもよい。
【００５０】
（２）
上記の実施形態では、前面グリル２５ａ，２５ｂ，２５ｃの天面に設けられた吸込み口２５１から外部の光が取り入れられているが、他の開口から光が取り入れられてもよい。例えば、フロントパネル２６ａ，２６ｂ，２６ｃと前面グリル２５ａ，２５ｂ，２５ｃの間に別の吸込み口が設けられて、ここから光が取り入れられてもよい。
【００５１】
（３）
第１実施形態では、フロントパネル２６ａのみが透明樹脂から形成されているが、フロントパネル２６ａと前面グリル２５ａとの両方が透明樹脂から形成され、その裏側全部に塗料層２７ａが設けられてもよい。また、前面グリル２５ａとフロントパネ２６ａルとが別体に形成されている場合に限らず、一体的に形成された室内機ケーシングの前面部分等が透明樹脂で形成されてもよい。
【００５２】
（４）
上記第２実施形態および第３実施形態にかかる室内機でも十分な光触媒性が得られるが、上記の構成に加えて、紫外線や可視光を照射するランプなどの光源が室内機の内部に備えられてもよい。これにより、外部からの光と光源からの光との相乗効果により、光触媒性がさらに効果的に発揮される。
【００５３】
（５）
上記の実施形態では、空気清浄フィルタ５１と光触媒フィルタ５２とが別体のフィルタとして前面グリル２５ａ，２５ｂ，２５ｃに設けられているが、空気清浄フィルタ５１と光触媒フィルタ５２とが一体となったフィルタが設けられてもよい。例えば、１つのフィルタのフィルタ面に、部分的に空気清浄フィルタ５１の機能を持つ部分と光触媒部分とが交互に形成されたものが設けられてもよい。
【００５４】
【発明の効果】
請求項１に記載の空気調和機の室内機では、透明な材料で形成された特定部の裏側の少なくとも第１部に、色彩または模様が表された意匠層が設けられる。このため、この空気調和機の室内機では、色彩や模様等の意匠が外観上に表れて美観が向上する。また、ケーシングが外部から刺激を受けた場合でも、意匠層は特定部の裏側に設けられているため、ケーシングに施された色彩や模様等の意匠が劣化する恐れが少ない。このため、この空気調和機の室内機では、意匠層の外面が劣化し難くなっている。
【００５５】
請求項２に記載の空気調和機の室内機では、特定部が前面に配置されるため、ケーシングの前面に施される意匠層の外面が劣化し難くなっている。空気調和機の室内機の前面は、居住者等の視野に入り易い部分である。このため、意匠層の外面が劣化し難くなる本発明がより有効である。
請求項３に記載の空気調和機の室内機では、特定部の表側が平らに形成されているため、拭き取り等の掃除が行い易い。また、この空気調和機の室内機では、意匠層が特定部の裏側に設けられているため、特定部の表側に意匠層による細かい凹凸が生じる恐れが少ない。このため、この空気調和機の室内機では、掃除の行い易さをより向上させることができる。
【００５６】
請求項４に記載の空気調和機の室内機では、透明な特定部の第２部に意匠層が設けられていないため、外部の光が第２部を透過して空気調和機の室内機の内部に到達し易くなっている。従って、第２部を透過した光によって、光触媒を活性化させ、環境汚染物質をより効果的に分解させることができる。このように、この空気調和機の室内機では、特別の光源を設けなくても、光触媒によって環境汚染物質をより効果的に分解させることができる。
【００５７】
請求項５に記載の空気調和機の室内機では、第２部はケーシングの天面に設けられる。室内の壁面に装着される空気調和機の室内機では、ケーシングの天面が居住者等の視野に入る恐れは少ない。従って、第２部を通してケーシングの内部が居住者等の視野に入る恐れが少ない。このため、この空気調和機の室内機では、第２部によって美観を損なう恐れを低減することができる。
【００５８】
請求項６に記載の空気調和機の室内機では、光触媒部は、可視光によって光触媒性を発揮することができる可視光触媒を有する。このため、第２部を透過してケーシングの内部に到達する太陽光や室内灯の光によっても十分に光触媒性を発揮させることができる。
請求項７に記載の空気調和機の室内機では、開口部からも光を取り入れて光触媒性を発揮させることができる。このため、ケーシングの特定部を形成する透明な材料を十分に透過できない波長の光がある場合でも、開口部から直接取り入れられた光によって十分に光触媒性を発揮させることができる。
【００５９】
請求項８に記載の空気調和機の室内機では、意匠層が設けられていない第２部が概ね平らに形成された平面部の裏側に設けられ、光触媒部がその内側に配置される。このため、第２部からは十分に外部の光が透過するとともに、透過した光が光触媒部に届き易い。従って、この空気調和機の室内機では、外部の光によって十分に光触媒性を発揮させることができる。
【００６０】
請求項９に記載の空気調和機の室内機の製造方法では、色彩または模様が表された意匠層がケーシングの特定部の裏側に施されることにより、色彩等が外観に表れた空気調和機の室内機が製造される。例えば、従来、ケーシングの表側に施していた色彩の塗装をケーシングの特定部の裏側に行うことによって、色彩が外観上に表れた空気調和機の室内機を製造することができる。従って、この空気調和機の室内機の製造方法では、特別の塗料等でコーティングするなどの外観の劣化を抑えるための特別の加工を行わなくても、室内機の外観の劣化が抑えることができる。このように、この空気調和機の室内機の製造方法では、外観の劣化しにくい空気調和機の室内機を容易に製造することができる。
【図面の簡単な説明】
【図１】空気調和機の全体図。
【図２】空気調和機の冷媒系統図。
【図３】第１実施形態にかかる室内機の側面断面図。
【図４】第１実施形態にかかる室内機ケーシングの構成の一部を表す斜視図。
【図５】空気調和機の室内機の製造方法を表すフローチャート。
【図６】室内機ケーシングの製造工程を表すフローチャート。
【図７】第２実施形態にかかる室内機ケーシングの構成の一部を表す斜視図。
【図８】第２実施形態にかかる室内機の側面断面図。
【図９】第３実施形態にかかる室内機ケーシングの構成の一部を表す斜視図。
【図１０】第３実施形態にかかる室内機の側面断面図。
【符号の説明】
２３ａ−２３ｃ      室内機ケーシング（ケーシング）
２５ｃ              前面グリル（特定部）
２６ａ−２６ｃ      フロントパネル（特定部）
２７ａ−２７ｃ      塗料層（意匠層）
５２                光触媒フィルタ（光触媒部）
２５１              吸込み口（開口部）
２６１−２６４      被塗装部（第１部）
２６６，２６７      透過部（第２部）
Ｓ１３              フロントパネルの成形工程（第１工程）
Ｓ１４              塗装加工工程（第２工程）
【図１】
2004184051.tif 000003
【図２】
2004184051.tif 000004
【図３】
2004184051.tif 000005
【図４】
2004184051.tif 000006
【図５】
2004184051.tif 000007
【図６】
2004184051.tif 000008
【図７】
2004184051.tif 000009
【図８】
2004184051.tif 000010
【図９】
2004184051.tif 000011
【図１０】
2004184051.tif 000012